(57)【要約】      （修正有）【課題】配置時の外観を向上させることができる補助用計器を提供する。【解決手段】他の補助用計器１とデイジーチェーン接続する補助用計器１であって、情報を表示する表示部と、表示部を前面２１側に露出して収容するケースと、他の補助用計器１の送信コネクタ４０又は受信コネクタ３０と接触することにより接続される受信コネクタ３０又は送信コネクタ４０と、を備える。ケースは、前面２１に対向する後面２２と、前面２１と後面２２とを接続する側面２３と、側面２３の一部であり前面２１と後面２２を結ぶ前後方向の軸周りに回転する回転体２７ａ、２７ｂと、を有する。受信コネクタ３０又は送信コネクタ４０は、回転体２７ａ、２７ｂに設けられた。【選択図】図２
2020030170.tif 000002
【特許請求の範囲】
【請求項１】
他の補助用計器とデイジーチェーン接続する補助用計器であって、
情報を表示する表示部と、
前記表示部を前面側に露出して収容するケースであり、前記前面に対向する後面と、前記前面と前記後面とを接続する側面と、前記側面の一部であり前記前面と前記後面を結ぶ前後方向の軸周りに回転する回転体と、を有するケースと、
前記他の補助用計器の送信コネクタ又は受信コネクタと接触することにより接続される、前記回転体に設けられた受信コネクタ又は送信コネクタと、を備える補助用計器。
【請求項２】
前記回転体は、前記前後方向に並んだ第１回転体と、第２回転体であり、
前記受信コネクタは、前記第１回転体に設けられ、
前記送信コネクタは、前記第２回転体に設けられる、請求項１記載の補助用計器。
【請求項３】
前記受信コネクタ及び前記送信コネクタは、前記他の補助用計器の送信コネクタ及び受信コネクタとの接触面が正円形である、請求項１又は２記載の補助用計器。
【請求項４】
前記受信コネクタ及び送信コネクタは、前記他の補助用計器の送信コネクタ及び受信コネクタと磁力により吸着する、請求項１から３の何れか一項記載の補助用計器。
【発明の詳細な説明】
【技術分野】
【０００１】
本発明は、車両等に搭載される補助用計器に関する。
【背景技術】
【０００２】
特許文献１には、車両用のコンビネーションメータとは別に設けられる回転計、吸気圧計及び排気温度計等のアクセサリー用の補助用計器が開示されている（図１）。この補助用計器は、補助用計器を制御するコントロールユニット及び他の補助用計器と配線部材によりデイジーチェーン接続されることで、シリアル通信を行う。
【先行技術文献】
【特許文献】
【０００３】
【特許文献１】特開２００３−９７９８１号公報
【発明の概要】
【発明が解決しようとする課題】
【０００４】
複数の補助用計器は、例えば車両のダッシュボード上に横並びに配列されて配置される。このとき、補助用計器の配線部材は、各補助用計器に設けられたコネクタを介して、補助用計器を接続する。このとき、配線部材がダッシュボード上等に露出し、補助用計器周辺の外観を損ねるという課題があった。また、配線部材を隠すためには、別途カバーを用意する必要があった。
【０００５】
本発明はこのような事情を考慮してなされたもので、配置時の外観を向上させることができる補助用計器を提供することを目的とする。
【課題を解決するための手段】
【０００６】
本発明に係る補助用計器は、上述した課題を解決するために、他の補助用計器とデイジーチェーン接続する補助用計器であって、情報を表示する表示部と、前記表示部を前面側に露出して収容するケースであり、前記前面に対向する後面と、前記前面と前記後面とを接続する側面と、前記側面の一部であり前記前面と前記後面を結ぶ前後方向の軸周りに回転する回転体と、を有するケースと、前記他の補助用計器の送信コネクタ又は受信コネクタと接触することにより接続される、前記回転体に設けられた受信コネクタ又は送信コネクタと、を備える。
【発明の効果】
【０００７】
本発明に係る補助用計器においては、配置時の外観を向上させることができる。
【図面の簡単な説明】
【０００８】
【図１】本発明に係る補助用計器の一実施形態であり、複数の補助用計器のダッシュボード上への配置例を示す説明図。
【図２】図１の補助用計器を上方から見た説明図。
【図３】補助用計器及び補助用計器と接続される周辺装置の機能ブロック図。
【図４】（ａ）は補助用計器を左側から見た図であり、特に受信コネクタを示す外観図、（ｂ）は補助用計器を右側から見た図であり、特に送信コネクタを示す外観図。
【図５】（ａ）は受信コネクタの接触面の説明図、（ｂ）は送信コネクタの接触面の説明図。
【図６】（ａ）のVI−VI線に沿う断面図、第１回転体の回転動作の説明図
【発明を実施するための形態】
【０００９】
本発明に係る補助用計器の実施形態を添付図面に基づいて説明する。本実施形態においては、本発明に係る補助用計器が自動車に搭載される例を用いて説明する。
【００１０】
図１は、本発明に係る補助用計器の一実施形態であり、ダッシュボード２上への複数の補助用計器１の配置例を示す説明図である。
図２は、図１の補助用計器１を上方から見た説明図である。
図３は、補助用計器１及び補助用計器１と接続される周辺装置の機能ブロック図である。
【００１１】
補助用計器１は、車両用のインストルメントパネル内に設けられる既存のコンビネーションメータとは別に設けられる、アクセサリー用の補助用計器である。補助用計器１は、他の補助用計器１及び主制御部３とデイジーチェーン接続で電気的に接続され、例えば車両のダッシュボード２上に横並びに配列されて配置される。
【００１２】
具体的には、補助用計器１の１つである第１補助用計器１ａは、主制御部３とケーブル４により接続される。主制御部３は、ＣＰＵ（Central Processing Unit）、ＲＯＭ（Read Only Memory）、ＲＡＭ（Random Access Memory）等を有するいわゆるマイクロコンピュータを有し、例えば、ＲＯＭに書き込まれたプログラムに従って所定の演算処理を実行する。主制御部３は、過給圧や排気温度等の車両状態を検出するセンサ群５から状態信号を取得し、取得した信号を補助用計器１に送信するための所要の処理を行う。また、主制御部３は、ユーザからの入力を受け付ける操作部６と接続されており、受け付けた入力に基づいて各補助用計器１の調光機能等の各種機能を実行する。
【００１３】
補助用計器１は、例えば、文字板１１上に形成された目盛りや数字等の意匠１３（表示指標）を指針１２によって指示する単一のアナログ式表示部をケース２０内に収納する。補助用計器１は、車両の単一の車両状態（例えば、走行状態）を監視するために配置される。補助用計器１は、例えば、エンジンの回転数を監視する回転数計、エンジンの過給圧を監視する吸気圧計（ブースト計）、排気ガスの排気温度を監視する排気温度計、エンジンオイルの温度を監視する油温計、及びエンジンオイルの圧力を監視する油圧計等である。
【００１４】
補助用計器１は、表示部１０と、ケース２０と、受信コネクタ３０と、送信コネクタ４０と、制御部５０と、駆動処理部６０と、を有する。
【００１５】
表示部１０は、車両の単一の車両状態からなる情報を表示するアナログ式の表示部である。表示部１０は、回転磁石と、指針１２と、文字板１１と、を有する。
【００１６】
回転磁石は、駆動処理部６０の制御に基づき、交差コイルへの駆動電圧により発生する磁界の変化に追従する可動部である。回動磁石は、前側へ突出した回転軸を有する。指針１２は、この回転軸の先端に接続され、文字板１１の前面側で文字板１１に平行する面上を回転する。文字板１１は、指針１２により指示される目盛や数字である意匠１３を有する。表示部１０は、指針１２と文字板１１の意匠１３との対比判読で計測量の変化を表示する。
【００１７】
ケース２０は、表示部１０を前面側に露出して収容する。また、ケース２０は、制御部５０及び駆動処理部６０を収容する。ケース２０は、前面２１と、後面２２と、側面２３と、を有し、前面２１と後面２２とを結ぶ方向（前後方向）に軸を有する略円筒形を有する。
【００１８】
前面２１は、表示部１０を露出する開口２４を有する。開口２４は、文字板１１の前面側が、半透過型のスモークレンズ２６（例えば、濃い色のブラウン、ブルー、ブラウン等のスモークレンズ）で覆われる。後面２２は、前面２１に対向するケース２０の後側の面である。側面２３は、前面２１と後面２２とを接続する面である。
【００１９】
また、ケース２０は、側面２３の一部であり、前後方向の軸周りに回転する、円環状の回転体２７を有する。回転体２７は、第１回転体２７ａと、第２回転体２７ｂと、からなる。
【００２０】
ここで、図４（ａ）は補助用計器１を左側から見た図であり、特に受信コネクタ３０を示す外観図、（ｂ）は補助用計器１を右側から見た図であり、特に送信コネクタ４０を示す外観図である。
【００２１】
第１回転体２７ａは前側に位置し、第２回転体２７ｂは第１回転体２７ａに対して後側に位置することで、第１回転体２７ａ及び第２回転体２７ｂは前後方向に並んでいる。また、第１回転体２７ａ及び第２回転体２７ｂは、時計回り及び反時計回りに（図４の矢印の方向に）個別に回転する。
【００２２】
受信コネクタ３０及び送信コネクタ４０は、他の補助用計器１の送信コネクタ４０（主制御部３のケーブル４のコネクタ）及び受信コネクタ３０と磁力により接触（吸着）することにより、電気的に接続する。
【００２３】
ここで、図５（ａ）は受信コネクタ３０の接触面３１の説明図、（ｂ）は送信コネクタ４０の接触面４１の説明図である。
図６は、図４（ａ）のVI−VI線に沿う断面図であり、第１回転体２７ａの回転動作の説明図である。
【００２４】
受信コネクタ３０及び送信コネクタ４０は、接触面３１、４１と、接触面３１、４１の後面側に設けられた基板（図示せず）と、を有する。接触面３１、４１及び基板は、ケース（図示せず）に収容されることによりユニット化される。
【００２５】
接触面３１、４１は、互いに逆の極性を有し、受信コネクタ３０及び送信コネクタ４０が磁力により接触する面である。受信コネクタ３０の接触面３１は、第１回転体２７ａの外表面上に設けられる。送信コネクタ４０の接触面４１は、第２回転体２７ｂの外表面上に設けられる。
【００２６】
接触面３１、４１は、正円形である。これにより、他の補助用計器１の接触面４１、３１における周方向に関する接触位置（周方向の相対角度）は制限されない。受信コネクタ３０の接触面３１は、同心円状の４つのリング状ピン３２を有する。また、送信コネクタ４０の接触面４１は、点状の４つのピン４２を有する。これらピン３２、４２は、基板を介してケーブル３３と接続される。尚、図６においては受信コネクタ３０のケーブル３３との接続構成例のみが示されるが、送信コネクタ４０についても同様の構成を有する。
【００２７】
制御部５０は、ケーブル３３で受信コネクタ３０と接続されることにより、受信コネクタ３０で受信されたデータを取得する。また、制御部５０は、ケーブルで送信コネクタ４０と接続されることにより、主制御部３から受信したデータ（又は他の補助用計器１を介して受信した主制御部３からのデータ）を送信コネクタ４０から他の補助用計器１に送信（伝達）する。制御部５０は、主制御部３から受信したデータに基づいて、補助用計器１を制御する。すなわち、制御部５０は、ＣＰＵ（Central Processing Unit）、ＲＯＭ（Read Only Memory）、ＲＡＭ（Random Access Memory）等を有するマイクロコントローラを有し、例えば、ＲＯＭに書き込まれたプログラムに従って所定の演算処理を実行する。制御部５０は、例えば、主制御部３から取得したシリアルデータを処理し、駆動処理部６０に渡したり、光源（図示せず）を制御したりする。
【００２８】
駆動処理部６０は、制御部５０から取得したシリアルデータに対して所要の処理を実行し、車両状態に応じて表示部１０の回転磁石を駆動制御する。
【００２９】
尚、主制御部３、制御部５０及び駆動処理部６０は、公知の方法（例えば特開平１２−１８９７４号公報、特開２００３−９７９８１号公報）により補助用計器１が車両状態を表示等するための各種処理を実行すればよいため、ここでは詳細な説明を省略する。
【００３０】
次に、補助用計器１の受信コネクタ３０及び送信コネクタ４０を介した接続構成について説明する。
【００３１】
複数の補助用計器１のうち１つの第１補助用計器１ａは、主制御部３から伸びたケーブル４により、受信コネクタ３０を介して接続される。このケーブル４は、受信コネクタ３０と逆の極性を有するコネクタを有することにより、磁力により受信コネクタ３０に接続される。第１回転体２７ａがケーブル４の位置に応じて回転することにより、受信コネクタ３０（接触面３１）の位置を調整する。これにより、ケーブル４と受信コネクタ３０とは、ケーブル４に負荷が掛らない位置等で好適に接続される。
【００３２】
このとき、図６に示されるように、受信コネクタ３０と制御部５０とを接続するケーブル３３は、ケース２０内で負荷が掛かることなく折れ曲がる。これにより、受信コネクタ３０（送信コネクタ４０）の位置は、ケーブル３３に制限されない。
【００３３】
第１補助用計器１ａは、送信コネクタ４０により、図１及び図２における右方向に隣接して配置された第２補助用計器１ｂの受信コネクタ３０と接続される。このとき、第１回転体２７ａとは独立して回転可能な第２回転体２７ｂが、第２補助用計器１ｂの位置に応じて回転することにより、送信コネクタ４０の位置を調整する。同様に、第２補助用計器１ｂの第１回転体２７ａも第１補助用計器１ａの送信コネクタ４０の位置に応じて回転することにより、受信コネクタ３０の位置を調整する。これにより、第１補助用計器１ａと第２補助用計器１ｂは、ケーブルを介すことなく接続される。
【００３４】
同様に、第２補助用計器１ｂと第３補助用計器１ｃとは、送信コネクタ４０及び受信コネクタ３０を介して接続される。これにより、第１補助用計器１ａ、第２補助用計器１ｂ、及び第３補助用計器１ｃは、互いに接続するためのケーブルを用いることなく、デイジーチェーン接続される。ゆえに、本実施形態における補助用計器１は、外部に露出する補助用計器１を接続するためのケーブルがなく、配置時の外観を向上させることができる。
【００３５】
また、第１回転体２７ａが前側、第２回転体２７ｂが第１回転体２７ａに対して後側に配置されるため、図２に示すように、ダッシュボード２の前縁が湾曲している場合には、その湾曲形状に併せて補助用計器１ａ、１ｂ、１ｃを配置できる。すなわち、補助用計器１の前面２１の位置を階段状に後側にずらしながら配置できる。このため、複数の補助用計器１ａ、１ｂ、１ｃ全体として見た場合にも、配置時の外観を向上させることができる。
【００３６】
また、接触面３１、４１は正円形であるため、左右方向の軸に関して補助用計器１が互いに回転した場合であっても、接触面３１、４１はその回転角度（周方向の相対角度）によらずに接触できる。例えばダッシュボード２の高さ（上下方向の位置）に応じて個別の補助用計器１の左右方向の軸に関する回転量を調整できるため、補助用計器１は、表示部１０の視認性を向上させたり、配置の自由度を向上させたりできる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３８】
例えば、第１回転体及び第２回転体の前後方向における位置は、上記の例に限らず、逆であってもよい。
【符号の説明】
【００３９】
１  補助用計器
１ａ  第１補助用計器
１ｂ  第２補助用計器
１ｃ  第３補助用計器
２  ダッシュボード
３  主制御部
４  ケーブル
５  センサ群
６  操作部
１０  表示部
１１  文字板
１２  指針
１３  意匠
２０  ケース
２１  前面
２２  後面
２３  側面
２４  開口
２６  スモークレンズ
２７  回転体
２７ａ  第１回転体
２７ｂ  第２回転体
３０  受信コネクタ
３１、４１  接触面
３２  リング状ピン
３３  ケーブル
４０  送信コネクタ
４２  ピン
５０  制御部
６０  駆動処理部
【図１】
2020030170.tif 000003
【図２】
2020030170.tif 000004
【図３】
2020030170.tif 000005
【図４】
2020030170.tif 000006
【図５】
2020030170.tif 000007
【図６】
2020030170.tif 000008